(57)【特許請求の範囲】
【請求項１】
管切断装置本体とジャッキとからなり、前記管切断装置本体は、切断されるべき管の先端を水平に支持する支持台と、前記ジャッキにより前記ジャッキ側に水平に引き込まれるガイド手段と、前記ガイド手段の後端に、前記ジャッキ側に向けて水平に固定された切断刃とを備え、前記支持台に水平に支持された前記管の後端に前記切断刃の先端を当てがい、前記ジャッキにより前記切断刃を前記ガイド手段と共に前記ジャッキ側に引き込むことによって、前記管を複数割りに切断することを特徴とする管切断装置。
【請求項２】
前記ガイド手段は、前記支持台に、前記管を取り囲むように水平に挿通された複数本のガイド棒からなることを特徴とする、請求項１に記載の管切断装置。
【請求項３】
前記ジャッキは、センターホールジャッキからなり、前記センターホールジャッキのストランドは、前記ガイド手段の先端に固定されていることを特徴とする、請求項１または２に記載の管切断装置。
【請求項４】
前記ガイド手段には、少なくとも１枚の案内板が挿通され、前記案内板の中央部には、前記管が挿通される開口が形成されていることを特徴とする、請求項１から３の何れか１つに記載の管切断装置。
【請求項５】
前記切断刃は、円錐形の刃本体と、前記刃本体の少なくとも先端の外周面に取り付けられた複数枚の刃部とからなっていることを特徴とする、請求項１から４の何れか１つに記載の管切断装置。
【請求項６】
前記ガイド手段は、移動手段により前記切断刃と共に、前記ジャッキと離反する方向に移動可能であることを特徴とする、請求項１から５の何れか１つに記載の管切断装置。
【請求項７】
前記移動手段は、前記ガイド手段の後端に固定されたワイヤーと前記ワイヤーの後端に固定された重りとからなることを特徴とする、請求項６に記載の管切断装置。
【請求項８】
前記管は、直管からなっていることを特徴とする、請求項１から７の何れか１つに記載の管切断装置。
【発明の詳細な説明】
【技術分野】
【０００１】
この発明は、管切断装置、特に、直管を遠隔操作により容易かつ確実に管の軸線方向に沿って複数割りに切断することができる管切断装置に関するものである。
【背景技術】
【０００２】
例えば、原子炉設備に設置されている加熱器や復水器を交換あるいは廃棄するような場合には、加熱器管や復水器管の内面の汚染状況を的確に把握する必要がある。
【０００３】
これら管内の汚染状況を把握するには、管を所定長さに切断した後、管の先端から管内にセンサーを挿入して検査する方法が考えられる。
【０００４】
しかし、この方法では、管の全長に亘ってセンサーを挿入する必要があるので、検査に時間と手間を要する。
【先行技術文献】
【特許文献】
【０００５】
【特許文献１】特開２０００−２１０８１２号公報
【特許文献２】特許第２８２８４３０号公報
【発明の概要】
【発明が解決しようとする課題】
【０００６】
上記問題点を解決するには、管をその軸線方向に沿って複数割りに切断すれば良いが、管を遠隔操作により容易かつ確実に軸線方向沿って複数割りに切断することができる管切断装置は、未だ提案されていない。
【０００７】
特許文献１には、金属管の切断装置が開示されているが、この装置は、金属管をその軸線方向と直交する方向に切断するものであり、軸線方向に沿って切断するものではない。
【０００８】
従って、この発明の目的は、被切断管としての直管を遠隔操作により容易かつ確実に管の軸線方向に沿って複数割りに切断することができる管切断装置を提供することにある。
【課題を解決するための手段】
【０００９】
この発明は、上記目的を達成するためになされたものであり、下記を特徴とするものである。
【００１０】
請求項１に記載の発明は、管切断装置本体とジャッキとからなり、前記管切断装置本体は、切断されるべき管の先端を水平に支持する支持台と、前記ジャッキにより前記ジャッキ側に水平に引き込まれるガイド手段と、前記ガイド手段の後端に、前記ジャッキ側に向けて水平に固定された切断刃とを備え、前記支持台に水平に支持された前記管の後端に前記切断刃の先端を当てがい、前記ジャッキにより前記切断刃を前記ガイド手段と共に前記ジャッキ側に引き込むことによって、前記管を複数割りに切断することに特徴を有するものである。
【００１１】
請求項２に記載の発明は、請求項１に記載の発明において、前記ガイド手段は、前記支持台に、前記管を取り囲むように水平に挿通された複数本のガイド棒からなることに特徴を有するものである。
【００１２】
請求項３に記載の発明は、請求項１または２に記載の発明において、前記ジャッキは、センターホールジャッキからなり、前記センターホールジャッキのストランドは、前記ガイド手段の先端に固定されていることに特徴を有するものである。
【００１３】
請求項４に記載の発明は、請求項１から３の何れか１つに記載の発明において、前記ガイド手段には、少なくとも１枚の案内板が挿通され、前記案内板の中央部には、前記管が挿通される開口が形成されていることに特徴を有するものである。
【００１４】
請求項５に記載の発明は、請求項１から４の何れか１つに記載の発明において、前記切断刃は、円錐形の刃本体と、前記刃本体の少なくとも先端の外周面に取り付けられた複数枚の刃部とからなっていることに特徴を有するものである。
【００１５】
請求項６に記載の発明は、請求項１から５の何れか１つに記載の発明において、前記ガイド手段は、移動手段により前記切断刃と共に、前記ジャッキと離反する方向に移動可能であることに特徴を有するものである。
【００１６】
請求項７に記載の発明は、請求項６に記載の発明において、前記移動手段は、前記ガイド手段の後端に固定されたワイヤーと前記ワイヤーの後端に固定された重りとからなることに特徴を有するものである。
【００１７】
請求項８に記載の発明は、請求項１から７の何れか１つに記載の発明において、前記管は、直管からなっていることに特徴を有するものである。
【発明の効果】
【００１８】
この発明によれば、被切断直管としての管を管切断装置本体に水平に固定し、ジャッキを操作するのみで、管を容易かつ確実に管の軸線方向沿って複数割りに切断することができる。
【００１９】
また、この発明によれば、ジャッキを遠隔操作することによって、管に直接、手を触れることなく、管を複数割りに切断することができる。
【図面の簡単な説明】
【００２０】
【図１】管切断前の、この発明の管切断装置を示す概略正面図である。
【図２】管切断中の、この発明の管切断装置を示す概略正面図である。
【図３】図１のＡ−Ａ線断面図である。
【図４】切断刃を示す正面図である。
【図５】他の切断刃を示す正面図であり、（ａ）は、三つ割り用切断刃であり、（ｂ）は、四つ割り用切断刃である。
【図６】この発明の他の管切断装置を示す概略正面図である。
【発明を実施するための形態】
【００２１】
この発明の管切断装置の一実施態様を、図面を参照しながら説明する。
【００２２】
図１は、管切断前の、この発明の管切断装置を示す概略正面図、図２は、管切断中の、この発明の管切断装置を示す概略正面図、図３は、図１のＡ−Ａ線断面図、図４は、切断刃を示す正面図である。
【００２３】
図１において、１は、管切断装置本体、２は、ジャッキであり、何れも、基台３上に設置されている。
【００２４】
管切断装置本体１は、切断されるべき管４の先端を水平に支持する支持台５と、ジャッキ２によりジャッキ２側に水平に引き込まれるガイド手段６と、ガイド手段６の後端に、ジャッキ２側に向けて水平に固定された切断刃７と、少なくとも１枚（この例では、２枚）の案内板８とからなっている。なお、管４は、直管である。
【００２５】
支持台５の切断刃７側の面には、管４の先端内に挿入される支持部材９が突設されていて、管４は、支持部材９と案内板８とによって、支持台５に水平に支持される。
【００２６】
ガイド手段６は、支持台５に、管４を取り囲むように水平に挿通された複数本（この例では４本）のガイド棒１０からなっている。複数本のガイド棒１０の先端は、連結部材１５により一体的に連結され、後端は、連結部材１６により一体的に連結されている。
【００２７】
案内板８は、四角形状をなし、その中央部には、管４が挿通される開口８ａが形成され、コーナー部には、開口８ａを取り囲むように、ガイド棒１０が挿通される開口８ｂが形成されている（図３参照）。
【００２８】
切断刃７は、円錐形の刃本体７ａと、刃本体７ａの先端外周面に対向して突設された一対の刃部７ｂとからなっている（図４参照）。なお、この切断刃７は、半割り用であるが、図５（ａ）に示すように、三つ割り用切断刃、あるいは、図５（ｂ）に示すように、四つ割り用切断刃であっても良く、これらの切断刃を使用することによって、管４を三つ割り、あるいは、四つ割りに切断することができる。また、切断刃７は、円錐形状のもの以外に、平板状等であっても良い。
【００２９】
ジャッキ２は、センターホールジャッキからなり、切断刃７をガイド手段６と共にジャッキ２側に間欠的に引き込む。センターホールジャッキのストランド１１は、ガイド手段６の先端に固定されている。センターホールジャッキとしては、例えば、特許文献２に開示されたものを使用すると良い。
【００３０】
以上のように構成されている、この発明の管切断装置によれば、以下のようにして直管を切断することができる。この例は、管を半割りに切断する場合であるが、半割り以上の複数割りに切断する場合も同様である。
【００３１】
先ず、ガイド棒１０の後端の連結部材１６を外し、管４の先端を、予め支持台５に取り付けられた支持部材９に挿入し、案内板８の開口８ａ内に管４を挿通する。そして、連結部材１６を切断刃７と共にガイド棒１０に取り付け、切断刃７の先端を管４の後端内に挿入する。
【００３２】
このようにして、管４を管切断装置本体１に水平に取り付けたら、ジャッキ２を操作して、切断刃７をガイド手段６と共にジャッキ２側に間欠的に引き込む（図２参照）。これによって、切断刃７が管４内に食い込むことにより、管４は、半割りに切断される。この際、切断刃７の刃部７ｂによって確実に管４が切断される。切断後の管４は、図２に示すように、上下に分離して半割に切断される。
【００３３】
ジャッキ２は、遠隔操作が可能であるので、管４に直接、手を触れることなく半割りに切断することができる。
【００３４】
管４の内面の汚染状況は、管４が半割りに切断されているので、容易かつ短時間に的確に把握することができる。
【００３５】
しかも、汚染状況に応じて管４を保管容器内に収納する際には、管４が半割に切断されているので、管４を半割に切断しない場合に比べて、収納効率が大幅に向上する。なお、管４の保管容器内への収納効率は、管４を図５（ａ）に示すような切断刃７により三つ割り、あるいは、図５（ｂ）に示すような切断刃７により四つ割りに切断すれば、さらに向上する。四つ割り以上に切断しても良いことは勿論である。
【００３６】
以上、説明したように、この発明によれば、被切断直管としての管４を管切断装置本体１に水平に固定し、ジャッキ２を操作するのみで、管４を容易かつ確実に管の軸線方向沿って半割りに切断することができる。
【００３７】
また、この発明によれば、図６に示すように、ガイド手段６を後端にワイヤー１２を固定し、ワイヤー１２の後端に滑車１３を介して重り１４を固定すれば、管４の切断終了後、ジャッキ２をフリーにすれば、重り１４の自重によって、ガイド手段６は、切断刃７と共に、元の位置に復帰するので、遠隔操作が可能となり、次の管４の切断に備えることができる。
【００３８】
なお、ガイド手段６を切断刃７と共に、元の位置に復帰させる移動手段としては、重り１４以外に、移動台車やジャッキ等であっても良い。
【００３９】
このように、ジャッキ２を遠隔操作することによって、管４に直接、手を触れることなく、管４を半割りに切断することができる。
【符号の説明】
【００４０】
１：管切断装置本体
２：ジャッキ
３：基台
４：管
５：支持台
６：ガイド手段
７：切断刃
７ａ：刃本体
７ｂ：刃部
８：案内板
８ａ：管の開口
８ｂ：ガイド棒の開口
９：支持部材
１０：ガイド棒
１１：ストランド
１２：ワイヤー
１３：滑車
１４：重り
１５：連結部材
１６：連結部材
【図１】
0006041831.tif 000002
【図２】
0006041831.tif 000003
【図３】
0006041831.tif 000004
【図４】
0006041831.tif 000005
【図５】
0006041831.tif 000006
【図６】
0006041831.tif 000007